(57)【要約】【課題】ボールマーカー用クリップが、帽子，ズボンなどの衣服に装着され、ボールマーカーを、着脱可能で確実に挟持することを特徴とする。【解決手段】帽子，ズボンなどの衣服に挟持するためのクリップ部とボールマーカーを収納できるスペースを形成するためのスペーサーおよびボールマーカーを挟持するための挟持部とから成るボールマーカー用クリップで、ボールマーカーを挟持し、着脱可能にするもので、そのため一般的なプラスチック製のボールマーカーも利用可能になる。【選択図】          図１
2006334088.tif 000002
【特許請求の範囲】
【請求項１】
帽子、ズボンなどの衣服に装着され、ボールマーカーをボールマーカー用クリップ本体の弾性で着脱可能にするボールマーカー用クリップであって、帽子，ズボンなどの衣服に挟持するためのクリップ部とボールマーカーを収納できるスペースを形成するためのスペーサーおよびボールマーカーを挟持するための挟持部とから成るボールマーカー用クリップ。
【発明の詳細な説明】
【技術分野】
【０００１】
本発明は、グリーン上でボールマークのために使用するボールマーカーを携帯するために使用するボールマーカー用のクリップに関するものである。
【背景技術】
【０００２】
従来、この種のボールマーカーは、単ティーなどとともにポケットに入れて持ち歩いたり、パターのグリップの後端に設けた穴に差し込んだり、あるいはクラブに設けた穴に差し込んで携行し、グリーン上でボールマークのために使用していた。
【特許文献１】実用新案登録第３１０２０９０号
【特許文献２】実開平０６−４４５６８号
【発明の開示】
【発明が解決しようとする課題】
【０００３】
しかしながら上記従来例において、単にポケットに入れて持ち歩く場合は、取り出しにくい上にティーなどと混じって急場の用をなさないことが多い。またパターのグリップの後端に設けた穴に差し込む場合には、紛失しやすい上に穴から取り出しにくいという欠点があった。
【０００４】
さらにクラブに設けた穴に差し込んで携行する場合にも、やはり紛失しやすい上に、クラブを頻繁に着脱するためにグリーン上での使用にはなじみにくいという欠点があった。
【０００５】
そのため、ボールマーカーとして、磁性体の金属製で円板状（コイン状）のものが使用されている。実用新案登録第３１０２０９０号で示されるように、帽子の庇，衣服の襟，ズボンのバンドなどに取り付けたクリップに磁石を埋め込み、磁力で着脱可能に保持させる考案が提案されている。この磁石付きクリップは、帽子の庇，衣服の襟，ズボンのバンドなどに取り付けた際に、磁石二個の重量が重く、また、鉄粉などゴミが付着した磁石付きボールマーカークリップは、磁性体製ボールマーカーとの吸着力が弱まり、脱落し易い問題がある。
また、実開平０６−４４５６８号広報に記載させているように、ボールマーカークリップ本体の弾性でボールマークを着脱可能に保持させる考案が提案されている。このクリップに対しては、ボールマーカーがクリップにあった特殊の形状のため、一般的なマーカーでは利用できず、また、ボールマーカーの頭部が丸山型であり、プレー中に他の人の邪魔になりやすい問題がある。
【０００６】
本発明のボールマーカー用クリップは上記の欠点を解消することを目的とするもので、帽子，ズボンなどの衣服に装着され、ボールマーカーを簡単に着脱できるようにしたものである。
【課題を解決するための手段】
【０００７】
本発明のボールマーカー用クリップは、クリップ本体の弾性でボールマーカーを挟持し、着脱可能にするものであって、ボールマーカー用クリップは、帽子，ズボンなどの衣服に挟持するためのクリップ部とボールマーカーを収納できるスペースを形成するためのスペーサーおよびボールマーカーを挟持するための挟持部とから成り、ボールマーカーのクリップ部の弾性で固定し、着脱可能にしたものである。
【発明の効果】
【０００８】
このように構成したことにより、常に決まった位置に取り付けられるから、グリーン上での使用に際しても即座に取り出してマークすることができ、抜き取り操作の際にも手等に何の違和感も生じさせることなく、本発明のゴルフマーカー用クリップからボールマーカーが取り出しやすい上に抜き取る際にボールマーカーを壊してしまうことがない。また紛失することも防止できる。更に、ボールマーカーを該ボールマーカーの足部，厚み部分，外周部分のいずれかでも挟持固定できるので、どのような形状のボールマーカーであっても安定して挟持することができる。
【発明を実施するための最良の形態】
【０００９】
以下、本発明のボールマーカー用クリップを、その実施例につき図面に基づいて詳細に説明する。
図１は、本発明によるボールマーカー用クリップの分解斜視図で、同図において１は、ボールマーカー用クリップで、当該ボールマーカー用クリップ１は、帽子，ズボンなどの衣服に挟持するためのクリップ部１１とボールマーカー２(図3参照)を収納できるスペースを形成するためのコ字状のスペーサー１２およびボールマーカー２を挟持するための挟持部１３とから成っている。挟持部１３は、中央部分がロート状で、中央で左右に割れていて、ボールマーカーの足部の直径より、小さい半円形の空間を持っていて、その部分でボールマーカーの足部を挟持する、挟持材５１でボールマーク２の足部をクリップの弾性と、凹部分で簡単に挟持するものである。そして、挟持部１３は、スペーサー１２と一端部で固着され、弾性力が得られ易く形成されている。
【００１０】
図２は、ボールマーカー用クリップ１を組み立てた状態を示す斜視図で、同図示のように、ボールマーカー２の足部２１を上にして、足部２１を挟持部５１に挿入し、各部分で挟持する。
【００１１】
次に図３により、ボールマーカー用クリップ１の使用例について、説明する。図３Bは、図３A中の丸で囲った部分の拡大図である。同図では、ボールマーカー用クリップ１を帽子に装着した状態を示す、帽子，ズボンなどの衣服にクリップ部分１１をはめ込んだ上、ボールマーカー２の足部２１を上向に挿入し押し込む。その際、ボールマーカー用クリップ１本体の弾性で、ボールマーカー２の足部２１が弾性的に保持され、抜け止めされている。
【００１２】
グリーン上では、ボールマーカー２をボールマーカー用クリップ１から抜き取り、ボールのマークとして使用する。用済み後は再度ボールマーカー用クリップ１に取り付ければよい。
【００１３】
また常に決まった位置に取り付けられるから、グリーン上での使用に際しても即座に取り出してマークすることができ、抜き取り操作の際にも手等に何の違和感も生じさせない。
【００１４】
さらに、帽子に装着した状態においては、帽子のワンポイントマークとして、ゴルフウエアのファッション性を高めることができる。
【実施例１】
【００１５】
図４は、本発明によるボールマーカー用クリップの分解斜視図で、同図において１は、ボールマーカー用クリップで、当該ボールマーカー用クリップ１は、帽子，ズボンなどの衣服に挟持するためのクリップ部１１とボールマーカー２(図６参照)を収納できるスペースを形成するためのコ字状のスペーサー１２およびボールマーカー２を挟持するための挟持部１３とから成っている。挟持部１３は、中央部分がロート状で、その底部にボールマーカーの足部２１の直径より、少し大きい半円形の、足部の空間を持っている、中央部分が左右で直線に根元の前まで、割れている。また、スペーサー１２の厚みが、ボールマーカーの円盤状の基底部２２より、少し薄くなっており、挟持材５２の弾性でボールマーカーの円盤状の基底部２２の厚み部分を、簡単に挟持するものである。そして、挟持部１３は、スペーサー１２と一端部で固着され、弾性力が得られ易く形成されている。
【００１６】
図５は、ボールマーカー用クリップ１を組み立てた状態を示す斜視図で、同図示のように、ボールマーカー２の足部２１を上にして、ボールマーカー２の円盤状の基底部２２を挟持部13に挿入し、その弾性で挟持する。
【００１７】
次に図６により、ボールマーカー用クリップ１の使用例について、説明する。図６Bは、図６A中の丸で囲った部分の拡大図である。同図では、ボールマーカー用クリップ１を帽子に装着した状態を示す、帽子，ズボンなどの衣服にクリップ部分をはめ込んだ上、ボールマーカー２の足部２１を上向に挿入し押し込む。その際、ボールマーカー用クリップ１本体の弾性で、ボールマーカー２の円盤状の基底部２２が弾性的に保持され、抜け止めされている。
【実施例２】
【００１８】
図７は、本発明によるボールマーカー用クリップの分解斜視図で、同図において１は、ボールマーカー用クリップで、当該ボールマーカー用クリップ１は、帽子，ズボンなどの衣服に挟持するためのクリップ部１１とボールマーカー２(図９参照)を脱落防止するためのロート状のスペーサー１２およびボールマーカー２を挟持するための挟持部１３とから成っている。挟持部１３は、中央部分が凹状で、左右直線部分の中央部より手前にボールマーカー２の円盤状の基底部２２の直径より、狭い間隔で凸部があり、ボールマーカー２の円盤状の基底部２２を、挟持材５２の弾性でボールマーカーの円盤状の基底部の直径部分で、簡単に挟持するものである。そして、挟持部１３は、スペーサー１２と一端部で固着され、弾性力が得られ易く形成されている。
【００１９】
図８は、ボールマーカー用クリップ１を組み立てた状態を示す斜視図で、同図示のように、ボールマーカー２の足部２１を上にして、ボールマーカー２の円盤状の基底部を挟持部１３に挿入し、その弾性で挟持する。
【００２０】
次に図９により、ボールマーカー用クリップ１１の使用例について、説明する。図９Bは、図９A中の丸で囲った部分の拡大図である。同図では、ボールマーカー用クリップ１を帽子に装着した状態を示す、帽子，ズボンなどの衣服にクリップ部分をはめ込んだ上、ボールマーカー２の足部２１を上向に挿入し押し込む。その際、ボールマーカー用クリップ１本体の弾性で、ボールマーカー２が弾性的に保持され、抜け止めされている。
また、ボールマーカー用クリップ１に、上記３実施例を併用して利用すれば、ボールマーカー３への挟持力が強まり、抜けにくくなる。
なお、ボールマーカー２の材質は、金や銀，プラチナ等の貴金属やプラスチックその他の素材で作成されている。もちろん、ボールマーカー用クリップの材質も、金や銀，プラチナ等の貴金属やプラスチックその他の素材で作成されている。また、ボールマーカー用クリップの全体形状としては、方形のみならず多角形その他の形状でもよい。またその表面形状も、種々の模様や彫刻を施したり、あるいは種々の宝石，広告板，動物図，キャラクター，その他の装飾品を配設することができる。
【図面の簡単な説明】
【００２１】
【図１】ボールマーカー用クリップの分解斜視図である。
【図２】ボールマーカー用クリップを示す斜視図である。
【図３】ボールマーカー用クリップの使用状態を示す斜視図で、図３Aは、要部斜視図、図３Bは一部拡大斜視図である。
【図４】本発明によるボールマーカー用クリップの他の実施例となる分解斜視図である。
【図５】本発明によるボールマーカー用クリップの他の実施例を示す斜視図である。
【図６】本発明によるボールマーカー用クリップの他の実施例となる使用状態を示す斜視図で、図６Aは、要部斜視図、図６Bは一部拡大斜視図である。
【図７】本発明によるボールマーカー用クリップの他の実施例となる分解斜視図である。
【図８】本発明によるボールマーカー用クリップの他の実施例を示す斜視図である。
【図９】本発明によるボールマーカー用クリップの他の実施例となる使用状態を示す斜視図で、図９Aは、要部斜視図、図９Bは一部拡大斜視図である。
【符号の説明】
【００２２】
１ ボールマーカー用クリップ
２ ボールマーカー
３ 帽子
５１，５２，５３  挟持部
【図１】
2006334088.tif 000003
【図２】
2006334088.tif 000004
【図３】
2006334088.tif 000005
【図４】
2006334088.tif 000006
【図５】
2006334088.tif 000007
【図６】
2006334088.tif 000008
【図７】
2006334088.tif 000009
【図８】
2006334088.tif 000010
【図９】
2006334088.tif 000011